(57)【要約】【課題】  強固な構造と実用的な機能を有する、ユニバーサルシリアルバスのコネクター外カバーおよびメモリカード外カバーの一体成形構造を提供する。【解決手段】  ＵＳＢコネクターのインナーハウジング１１はメモリカード２に結合される。結合されたインナーハウジング１１およびメモリカード２は、連結金属外カバー４によりＵＳＢコネクター１およびメモリカード２の外周が一体に覆われる。金属外カバー４はネックがなく、強固で小さな構造となる。そのため、機器内部に内蔵して使用することができる。【選択図】  図５
0003102935.tif 000002
【実用新案登録請求の範囲】
【請求項１】
インナーハウジング上面の前端近くから前記インナーハウジング後端まで延伸する４本の端子を有するユニバーサルシリアルバスコネクターのインナーハウジングと、
回路基板、ならびに該回路基板に設けられたメモリーおよび制御ＩＣを有し、前記回路基板の前端近くと前記ユニバーサルシリアルバスコネクターのインナーハウジングにある４本の端子の後端とが溶接されたメモリカードと、
前記メモリカードおよび前記ユニバーサルシリアルバスコネクターのインナーハウジングの外周を一体にして覆う連結金属外カバーと、
を備えることを特徴とするユニバーサルシリアルバスのコネクター外カバーおよびメモリカード外カバーの一体成形構造。
【請求項２】
前記連結金属外カバーは、側壁の所定の位置に設けられているカードイジェクトを有することを特徴とする請求項１記載のユニバーサルシリアルバスのコネクター外カバーおよびメモリカード外カバーの一体成形構造。
【考案の詳細な説明】
【技術分野】
【０００１】
本考案は、強固な構造と実用的な機能を有する、ユニバーサルシリアルバスのコネクター外カバーおよびメモリカード外カバーの一体成形構造に関する。
【背景技術】
【０００２】
従来のメモリカードは、例えば、コンパクトフラッシュカード（ＣＦカード：登録商標）、スマートメディアカード（ＳＭカード）、マルチメディアカード（ＭＭＣカード）、セキュアデジタルカード（ＳＤカード）およびメモリスティック（ＭＳカード）などのように種類が非常に多く、その規格がそれぞれ異なっていたため共用することができなかった。また使用する際、それぞれ対応したカードリーダ（Card Reader）が別になければパーソナルコンピュータ（ＰＣ）に接続してデータを読取ることができず、使用上とても不便であった。
【０００３】
図１に示すのは、ユニバーサルシリアルバス（Universal Serial Bus：ＵＳＢ）コネクター１の斜視図であり、図２は、図１のバスコネクターの分解斜視図である。ＵＳＢコネクター１はインナーハウジング１１と、インナーハウジングの外周を覆う外カバー１２とを含み、インナーハウジングは、インナーハウジング上面の前端近くからインナーハウジング後端へ延伸する４本の端子１３を有する。この標準規格を有するＵＳＢコネクターは、コンピュータおよびその周辺機器の接続に広く使用されている。
【０００４】
上述したように、コンピュータおよびその周辺機器の接続に使用されているＵＳＢは、普及性および利便性という特色を備えている。現在、あるメーカはこの長所を利用してＵＳＢとメモリカードとを結合し、例えば、ＩＢＭのＵＳＢメモリーキイやＭ−Ｓｙｓｔｅｍのディスクオンキイといった、ＵＳＢにより直接アクセスできるメモリー装置を開発している。
【０００５】
図３に示すのは、従来のＵＳＢおよびメモリカード結合装置Ａの斜視図であり、図４に示すのは、図３の分解斜視図である。図に示すように、結合装置Ａは、ＵＳＢコネクター１、メモリカード２およびプラスチックメモリカード外カバー３を含む。メモリカード２は、回路基板２１と、回路基板２１に設けられたメモリー２２および制御ＩＣ２３とを有し、回路基板前端近くの両側部分には、ＵＳＢコネクター１を挿入して結合に用いる挿入孔２４が設けられている。ＵＳＢコネクター１は、インナーハウジング１１、端子１３および外カバー１２を含む。外カバー後端の両側には一組のストッパー１４が設けられ、ＵＳＢコネクター１とメモリカード２とを結合するとき、端子１３とメモリカード２の回路基板２１とを溶接して電性接続するときに、ストッパー１４を回路基板２１の挿入孔２４へ挿入固定して両者の結合強度を高める。ＵＳＢコネクター１をメモリカード２に接続してから、プラスチックメモリカード外カバー３で、メモリカード２全体とＵＳＢコネクター１の外カバー１２の後端部を覆い、ＵＳＢコネクター１の前端部を、コンピュータなどの機器にあるＵＳＢ接続ポート（図示せず）へ挿入して接続し、メモリカードのデータへ直接にアクセスする。
【０００６】
しかし、上述のＵＳＢコネクターとメモリカードとを結合した従来の結合装置Ａには、使用上、次に述べるような欠点が存在した。
（１）ＵＳＢコネクター１は、外カバー１２の両側にあるストッパー１４を、メモリカード２の回路基板２１にある挿入孔２４へ挿入して固定するが、挿入孔が壊れないように、挿入孔と回路基板両側のふち２５との間には広さｄの板材が必要であった。そのため、回路基板２１全体はＵＳＢコネクター１よりもはるかに大きくなってしまい、加えられるプラスチックメモリカード外カバー３は回路基板およびＵＳＢコネクター外カバーの外周を覆うが、ＵＳＢ外カバーから外へ向かって四方へ突出しているため、非常に大きくて使用が不便であった。
【０００７】
（２）プラスチックメモリカード外カバー３は、ＵＳＢコネクターから外カバー１２に向かって突出しているため、両者の間には段差ネック３１が形成されていた。また使用するとき、プラスチックメモリカード外カバー３が、ネックから外へ向かってコンピュータなどの機器から突出してしまう。使用中にプラスチックメモリカード外カバーが外部からの衝撃を受けると、その作用力は全て段差ネック３１へ伝達される。ネック内部はＵＳＢコネクター１の端子１３とメモリカード２の回路基板２１とが結合している部位であり、表面実装技術（ＳＭＴ）によるその接合部は他の部位よりも脆弱であるため、プラスチックメモリカード外カバーが衝撃を受けると、容易にＵＳＢとメモリカードとの接合部が力を受け、接合点の剥離により端子１３が接触不良となり、回路基板が断裂して使用不能となることもあった。
【０００８】
（３）メモリカード２の回路基板２１の衝撃受容力を高めるため、回路基板は厚くする必要があった。一般の回路基板の厚さは約１．６ｍｍで、ストッパー１４を回路基板へ通してから、スポット溶接で接続して補強する。そのため、プラスチックメモリカード外カバー３全体の厚さおよび体積は増大した。一般の市販品であるプラスチック外カバー本体の厚さ約１．５ｍｍ×２に１．６ｍｍの回路基板を加えると、素子を装着する以前に４．６ｍｍ以上の厚さとなってしまう。さらにメモリーおよびその制御素子に必要な空間を加えると、産品はさらに厚くなり、１０ｍｍ以上となる。そのため、頭部が小さく胴部が大きい状態となって携帯に不便となるだけでなく、機器の構造中へ結合装置Ａを完全に埋設して設計することができなかった。そのため、現在の電子産業が求める、精密で小型の携帯式電子産品、例えばデジタルカメラ、ＰＤＡ、ＭＰ３などへ応用することができなかった。
【考案の開示】
【考案が解決しようとする課題】
【０００９】
したがって、本考案の目的は、ＵＳＢコネクターとメモリカードとが結合された従来の結合装置Ａの上記欠点に鑑み、強固な構造と実用的な機能を有する、ユニバーサルシリアルバスのコネクター外カバーおよびメモリカード外カバーの一体成形構造を提供することにある。
【課題を解決するための手段】
【００１０】
上述の目的を達成するために、本考案はＵＳＢコネクターのインナーハウジングとメモリカードとを結合してから、連結金属外カバーによりＵＳＢコネクターおよびメモリカードの外周を一体にして覆う、ユニバーサルシリアルバス（ＵＳＢ）のコネクター外カバーおよびメモリカード外カバーの一体成形構造を提供する。
【考案の効果】
【００１１】
本考案のユニバーサルシリアルバス（ＵＳＢ）のコネクター外カバーおよびメモリカード外カバーの一体成形構造は、金属外カバーはネックがなく、強固で小さな構造なため、機器内部に内蔵して使用することができる。そして、携帯式電子産品への使用に適し、使用対象を増やして実用価値を高めることができる。
【考案を実施するための最良の形態】
【００１２】
以下、本考案の実施例を、図面にもとづいて構造、特長およびその効能を詳細に説明する。
図５は、本実施例のユニバーサルシリアルバスのコネクター外カバーおよびメモリカード外カバーの一体成形構造を示す斜視図であり、図６は、図５の分解斜視図である。
【００１３】
これらの図に示すように、本実施例のユニバーサルシリアルバス（ＵＳＢ）のコネクター外カバーおよびメモリカード外カバーの一体成形構造Ｂは、ＵＳＢコネクターのインナーハウジング１１、メモリカード２および連結金属外カバー４を含む。メモリカード２は、上で述べた従来のものと同様に回路基板２１と、回路基板２１に設けられたメモリー２２および制御ＩＣ２３とを含む。ＵＳＢコネクターのインナーハウジング１１は、インナーハウジング上面の前端近くからインナーハウジング後端まで延伸する４本の端子１３を有し、ＵＳＢコネクター１のインナーハウジング１１とメモリカード２とを結合してから、端子１３とメモリカード２の回路基板２１とを溶接して電性接続する。本実施例で最も重要な点は、従来のように、別ユニットである外カバー１２により覆うのではなく、ＵＳＢコネクターのインナーハウジング１１をメモリカード２に結合してから、連結金属外カバー４によりメモリカード２およびＵＳＢコネクターのインナーハウジング１１の外周を一体にして覆うことである。
【００１４】
本実施例の外カバー一体成形の構造は、少なくとも次に述べるような長所を備える。
（１）メモリカード２およびＵＳＢインナーハウジング１１の外周を連結金属外カバー４で一体に覆い、従来の外カバー層の層を堆積した構造ではなく、単層外カバーだけの構造にする。そのため、僅か４．５ｍｍ（ＵＳＢの厚さ）の外観厚さから上下の金属カバー体の合計厚さ０．６ｍｍを引くと、使用できる空間は約３．９ｍｍとなり、外観厚さは従来のものより１０ｍｍ以上も薄くなる。そのため、本実施例は精美で精巧且つ小さくなり、携帯および使用が便利となる。
【００１５】
（２）上述したように、連結金属外カバー４がメモリカード２およびＵＳＢコネクターのインナーハウジング１１の外周を一体に覆い、その外カバーが一体に成形された強固な金属構造体を形成するため、従来存在した段差ネック３１がなくなる。そのため、使用している時に金属外カバーが外部の衝撃作用を受けても、各部が均等に力を受けるため、内部回路基板は外部機構力を受けない。また、回路基板とＵＳＢコネクターのインナーハウジング１１との接続箇所に断裂が発生する恐れがなくなり、品質の信頼度と使用の安全性が向上する。
【００１６】
（３）上で述べたように、内部回路基板は外部機構力を受けないため、薄板あるいは軟板を回路基板に使用することができる。そして使用する内部空間を節約して、外カバー内の３．９ｍｍという限られた空間を効率的に使用し、さらに多くのメモリーを収めることができるようになるだけでなく、組立てが便利になり全体の重量が軽くなる。
（４）外カバーは、金属により一体成形されて外観がスムーズとなり、ネック３１が存在しないため、機器の設計に合わせて、機器内部へ容易かつ完全に設置して使用することができる。その金属外カバーは外部へ露出せず、一般の携帯式電子産品とともに、ＵＳＢ雌ハウジングおよびその操作インターフェイスを共用することができ、ＵＳＢ ＯＴＧ（On The Go）操作インターフェイスを含み、もしＯＴＧ操作インターフェイスを採用する場合、ＵＳＢ雌ハウジングにとりＵＳＢ−Ｂまたはミニ（mini）ＵＳＢをＵＳＢ Ａへ変更することもできるため、メモリカード雌ハウジングおよびその操作インターフェイスも省くことができる。そのため電子産品を小型化できるだけでなく、コストも減らすことができる。本実施例は細長く設計されているため、電子産品設計の利便性が高まり、現在の電子産業において要求される小型産品、例えば、デジタルカメラ、ＰＤＡ、ＭＰ３などといった携帯式電子産品へ広く応用することができる。そして、メモリカードの使用が普及して、その使用範囲が広まる。
【００１７】
上述した（４）において、本実施例を機器内部に設置して適用するとき、取出す利便性を高めるために、連結金属外カバー４の側壁の適当な位置にカードイジェクト４１を設けて、機器内部の対応した位置にカード取出機構（図示せず）を設ける。そのため本考案を使用しない時は、カード取出機構を操作して取出すことができる。
【図面の簡単な説明】
【００１８】
【図１】従来の技術にかかるＵＳＢコネクターを示した斜視図である。
【図２】図１の分解斜視図である。
【図３】従来に技術にかかるＵＳＢコネクターとメモリカードとが結合された結合装置を示す斜視図である。
【図４】図３の分解斜視図である。
【図５】本考案の実施例によるＵＳＢのコネクター外カバーおよびメモリカード外カバーの一体成形構造を示す斜視図である。
【図６】図５の分解斜視図である。
【符号の説明】
【００１９】
Ａ  結合装置、Ｂ  外カバー一体成形構造、１  ユニバーサルシリアルバス（ＵＳＢ）コネクター、１１  インナーハウジング、１２  外カバー、１３  端子、１４  ストッパー、２  メモリカード、２１  回路基板、２２  メモリー、２３  制御ＩＣ、２４  挿入孔、２５  ふち、３  プラスチックメモリカード外カバー、３１  段差ネック、４  連結金属外カバー、４１  カードイジェクト
【図１】
0003102935.tif 000003
【図２】
0003102935.tif 000004
【図３】
0003102935.tif 000005
【図４】
0003102935.tif 000006
【図５】
0003102935.tif 000007
【図６】
0003102935.tif 000008